(57)【特許請求の範囲】
【請求項１】
複数の熱伝導クーリングフィンを備える散熱器と、
第１軸管及びこの第１軸管と相反する方向に延伸した第２軸管を有するベースと、前記第１軸管に結合される第１ファンと、前記第２軸管に結合される第２ファンとを備えており、前記散熱器に結合されたファンモジュールとよりなる構成としたことを特徴とする多重散熱モジュール。
【請求項２】
前記ファンモジュールは、
前記第１及び第２ファンを環繞する側壁と、
前記ベースから前記側壁に延伸した複数のリブとを更に備えることを特徴とする請求項１に記載の多重散熱モジュール。
【請求項３】
前記第１ファン及び第２ファンは第１回転速度及び第２回転速度で回転し、且つ前記第１ファンは第１制御回路、前記第２ファンは第２制御回路をそれぞれ更に備え、前記第１ファンが故障した時、前記第１制御回路は前記第２制御回路に信号を出力し、前記第２制御回路は前記第２ファンを駆動して第２回転速度を上昇させることを特徴とする請求項１に記載の多重散熱モジュール。
【請求項４】
前記第１ファン及び前記第２ファンの回転方向は相反することを特徴とする請求項１に記載の多重散熱モジュール。
【請求項５】
前記熱伝導クーリングフィンはアルミ、アルミ合金、銅、銅合金からなる群から選ばれた材質で出来ていることを特徴とする請求項１に記載の多重散熱モジュール。
【請求項６】
前記熱伝導クーリングフィンが、溝を定義し、
前記ファンモジュールが、前記溝内に配置されて前記熱伝導クーリングフィンに支持されるフレームと、前記ベースから前記フレームに延伸した複数のリブとを更に備えた構成であることを特徴とする請求項１に記載の多重散熱モジュール。
【請求項７】
前記第１ファン及び第２ファンは第１回転速度及び第２回転速度で回転し、且つ前記第１ファンは第１制御回路、前記第２ファンは第２制御回路をそれぞれ更に備え、前記第１ファンが故障した時、前記第１制御回路は前記第２制御回路に信号を出力し、前記第２制御回路は前記第２ファンを駆動して第２回転速度を上昇させることを特徴とする請求項６に記載の多重散熱モジュール。
【請求項８】
前記第１ファン及び前記第２ファンの回転方向は相反することを特徴とする請求項６に記載の多重散熱モジュール。
【請求項９】
前記熱伝導クーリングフィンはアルミ、アルミ合金、銅、銅合金からなる群から選ばれた材質で出来ていることを特徴とする請求項６に記載の多重散熱モジュール。
【発明の詳細な説明】
【０００１】
【発明の属する技術分野】
本発明は散熱モジュールに関し、特に多重散熱モジュールに関するものである。
【０００２】
【従来の技術】
電子装置の効能の向上に伴って、散熱装置或いはシステムは現行の電子装置の中でも不可欠なものとなっている。電子装置が生じる熱エネルギーが効果的に散熱されないと効能が低減し電子装置を焼き壊してしまう。これにより、高熱を発する電子装置（例えば中央処理器）の表面或いは側面は通常、散熱装置を設けて生じる熱エネルギーを散逸させている。
【０００３】
公知の散熱装置１０は図１ａで示されるように、ファン５０及び散熱器６０からなる。このファン５０は散熱器６０の上表面に固定され、散熱器６０の下表面は熱源（図示せず。例えば中央処理器）に貼接される。公知の散熱装置１０は少なくとも（１）散熱効果が要求に符合しない、（２）余剰功能を有さない、等の欠点があり、その原因は以下でそれぞれ記す。
【０００４】
図１ａを参照すると、公知の散熱装置１０は僅かに単一ファン５０を備えるだけであるため、ファン５０が故障した時、公知の散熱装置１０は迅速に熱エネルギーを散逸することが出来ず、散熱装置を焼き壊してしまう。
【０００５】
更に、電子装置の効能向上により、一つのファンでは電子装置の散熱効果に対して日増しに高まる要求を満たすことが難しくなってきた。公知技術ではスタック状の２つのファン５０ａ及び５０ｂにより散熱効果を向上させていた。図１ｂで示されるように、公知技術は散熱装置１０に余剰の功能を備えさせる為、もう一つ余分のファン５０ｂをファン５０ａの上に増設する。しかし、これにより、２つのファンの間で干渉し合い、予期された散熱効果が達成されず、騒音も増加する。或いは図１ｃで示されるように、公知技術は更に大きいファン５０ｃを使用するが、これでは散熱効果と余剰効果を同時に配慮することが出来ない。
【０００６】
【発明が解決しようとする課題】
これにより、本発明は新規の散熱装置を提供し、上述の問題を解決することを目的とする。
【０００７】
【課題を解決するための手段】
本発明は多重散熱モジュールを提供し、散熱効果と余剰効果を同時に配慮する。
【０００８】
第１実施例で、本発明の多重散熱モジュールは散熱器とファンモジュールとからなる。前記散熱器は複数の熱伝導クーリングフィンを備える。前記ファンモジュールは前記散熱器上に形成され、第１ファン及び第２ファンを備える。ケースはベース、側壁及び複数のリブを更に備える。前記ベースは相反する方向に延伸した第１軸管及び第２軸管を備える。第１軸管は第１ファンに結合され、第２軸管は第２ファンに結合されている。第１ファン及び第２ファンは側壁によって環繞される。複数のリブはベースからケースに延伸している。
【０００９】
本発明の第１及び第２ファンはどちらか一つが故障時に、もう一つが回転速度を上昇させることが出来る。即ち本発明の第１及び第２ファンは相互連動関係を有する。第１ファンは第１制御回路及び第１信号出力端を更に備える。第２ファンは第２制御回路及び第２信号出力端を更に備える。第１信号出力端は第２制御回路に結合され、第２信号出力端は第１制御回路に結合される。第１及び第２信号出力端が出力する信号が回転速度が正常かどうかを表す信号である。例えば回転速度が正常の時、信号はロジック“１”で、異常の時、ロジック“０”である。しかし、回転速度が正常時、信号はロジック“０”、異常の時ロジック“１”とすることも出来る。
【００１０】
第１及び第２ファンが正常の時、第１ファンと第２ファンがそれぞれ低速度で回転する。しかし、一つのファンが故障した時、もう一つのファンは回転速度を上げる。例えば、第１ファンが故障した時、第２制御回路は第１信号出力端の信号に応じて第２ファンの回転を速くし、損失した散熱効果を補償する。本目的を達成する為、第１及び第２ファンは少なくとも高回転或いは低回転出来るものとし、即ち少なくともダブル回転速度ファンでなければならない。
【００１１】
その他、騒音を減少させ散熱効果を上昇させる為、第１及び第２ファンの回転は相反する。このように、切線方向の風速を相殺することが出来、軸方向の風量を集中させる。
【００１２】
本発明の第２実施例の多重散熱モジュールは散熱器と、第１ファン、第２ファン及びサポート部とからなる。散熱器は複数の熱伝導クーリングフィン及び熱伝導クーリングフィンが定義する溝を備える。第１及び第２ファンはスタック状或いは直列接続の方式で溝中に形成され、散熱器に嵌入されている。
【００１３】
前記サポート部はベース、フレーム及び複数のリブを更に備える。前記ベースは相反する方向に延伸した第１軸管及び第２軸管を備える。第１軸管は前記第１ファンに結合され、第２軸管は第２ファンに結合される。複数のリブはベースからフレームに延伸する。
【００１４】
本発明の第２実施例の第１及び第２ファンはどちらか一つが故障時に、もう一つが回転速度を上昇させることが出来る。
【００１５】
【発明の実施の形態】
上述した本発明の目的、特徴、及び長所をより一層明瞭にするため、以下に本発明の好ましい実施の形態を挙げ、図を参照にしながらさらに詳しく説明する。
【００１６】
本発明の多重散熱モジュールは熱源（図示せず。例えば中央処理器等）の表面に設けられ、生じる熱エネルギーを散逸する。
【００１７】
（第１実施例）
図２ａを参照すると、第１実施例の多重散熱モジュールは散熱器３００とファンモジュールとからなる。散熱器３００は、アルミ、アルミ合金、銅、銅合金で構成される群からなる材質で出来ている複数の熱伝導クーリングフィン３１０を備える。前記ファンモジュールは散熱器３００上に形成され、第１ファン１００や第２ファン２００等の複数のファンを備える。詳述すると、ケース５００はベース５１０、側壁５３０及び複数のリブ５５０を更に備える。ベース５１０は相反する方向に延伸した第１軸管５２０ａ及び第２軸管５２０ｂを備える。第１軸管５２０ａは第１ファン１００に結合され、第２軸管５２０ｂは第２ファン２００に結合される。即ち第１ファン１００及び第２ファン２００はスタック状又は直列接続の方式で、ケース５００中に形成される。第１ファン１００及び第２ファン２００は側壁５３０によって環繞される。複数のリブ５５０はベース５１０より側壁５３０に延伸する。
【００１８】
図２ａを引き続き参照すると、散熱器３００はじめ、散熱装置の熱エネルギーを大きい散熱面積に導引し、第１ファン１００及び第２ファン２００の吹き込みにより、散熱器３００の熱エネルギーを背景の環境に伝導させる。
【００１９】
注目すべきことは、本発明の第１ファン１００及び第２ファン２００は一つの故障時にもう一つが回転速度を上げることである。即ち本発明の第１ファン１００及び第２ファン２００は相互連動関係を有する。詳述は図２ｂのブロック図で示されるように、第１ファン１００は第１制御回路１２０及び第１信号出力端１３０を更に備える。第２ファン２００は第２制御回路２２０及び第２信号出力端２３０を更に備える。この技術を熟知した者が知るように、信号出入力ピンを備えた制御ＩＣにより、本発明を実現することが出来る。第１信号出力端１３０は第２制御回路２２０に結合され、第２信号出力端２３０は第１制御回路１２０に結合される。第１信号出力端１３０及び第２信号出力端２３０が出力する信号は回転速度が正常かどうかを表す信号である。例えば回転速度が正常の時、信号はロジック“１”で、異常の時、ロジック“０”である。しかし、回転速度が正常時、信号はロジック“０”、異常の時ロジック“１”とすることも出来る。
【００２０】
第１ファン１００及び第２ファン２００が正常の時、第１ファン１００と第２ファン２００がそれぞれ低速度で回転する。しかし、一つのファンが故障した時、もう一つのファンは回転速度を上げる。例えば、第１ファン１００が故障した時、第２制御回路２２０は第１信号出力端１３０の信号に応じて第２ファン２００の回転を速くし、損失した散熱効果を補償する。本目的を達成する為、第１ファン１００及び第２ファン２００は少なくとも高回転或いは低回転出来るものとし、即ち少なくともダブル回転速度ファンでなければならない。
【００２１】
その他、騒音を減少させ散熱効果を上昇させる為、第１及び第２ファンの回転は相反する。このように、切線方向の風速を相殺することが出来、軸方向の風量を集中させる。
【００２２】
（第２実施例）
図３ａ及び図３ｂで示されるように、本発明の第２実施例の多重散熱モジュールは散熱器３００と複数のファン及びサポート部６００とからなる。散熱器３００は複数の熱伝導クーリングフィン３１０及び熱伝導クーリングフィン３１０が定義する溝３２０（図３ｂで示される）を備える。本実施例のファンの数量は例えば、第１ファン１００及び第２ファン２００等の２個（限定しない）とする。第１ファン１００及び第２ファン２００はスタック状で溝３２０中に形成され、散熱器３００に嵌入されている。これにより、大幅に多重散熱モジュールの厚さを減少させることが出来る。注目すべきことは、溝３２０の形状は第１ファン１００及び第２ファン２００の形状になっていることである。散熱器３００ははじめ、散熱装置の熱エネルギーを大きい散熱面積に導引し、第１ファン１００及び第２ファン２００の吹き込みにより、散熱器３００の熱エネルギーを背景の環境に伝導させる。熱伝導クーリングフィン３１０は、アルミ、アルミ合金、銅、銅合金で構成される群より選ばれた材質で出来ている。
【００２３】
図３ａ及び図３ｂを続けて参照すると、サポート部６００はベース６１０、フレーム６３０及び複数のリブ６５０を備える。ベース６１０は相反する方向に延伸した第１軸管６２０ａ及び第２軸管６２０ｂを備える。第１軸管６２０ａは第１ファン１００に結合され、第２軸管６２０ｂは第２ファン２００に結合される。フレーム６３０は熱伝導クーリングフィン３１０により支承されている。その他、複数のリブ６５０はベース６１０からフレーム６３０に延伸する。
【００２４】
注目すべきことは、本発明の第２実施例の第１ファン１００及び第２ファン２００は互いの故障によって回転速度を上昇させることができることである。その実施方法は第２実施例で示される通りであるため、ここに記述しない。
【００２５】
その他、騒音を低下させ、散熱効率を向上させる為、第１ファン及び第２ファンの回転方向は反対である。これにより、切線方向の風速を相殺することが出来、軸方向の風量を集中させる。
【図面の簡単な説明】
【図１ａ】公知の散熱装置を示す図である。
【図１ｂ】公知のもう一つの散熱装置を示す図である。
【図１ｃ】公知の更にもう一つの散熱装置を示す図である。
【図２ａ】本発明の第１実施例の分解図である。
【図２ｂ】本発明の回路図である。
【図３ａ】本発明の第２実施例の分解図である。
【図３ｂ】本発明の第２実施例の部分図である。
【符号の説明】
１００  第１ファン
１２０  第１制御回路
１３０  第１信号出力端
２００  第２ファン
２２０  第２制御回路
２３０  第２信号出力端
３００  散熱器
３１０  熱伝導クーリングフィン
３２０  溝
５００  ケース
５１０、６１０  ベース
５２０ａ、６２０ａ  第１軸管
５２０ｂ、６２０ｂ  第２軸管
５３０  側壁
５５０、６５０  リブ
６００  サポート部
６３０  フレーム
【図１ａ】
0003680018.tif 000002
【図１ｂ】
0003680018.tif 000003
【図１ｃ】
0003680018.tif 000004
【図２ａ】
0003680018.tif 000005
【図２ｂ】
0003680018.tif 000006
【図３ａ】
0003680018.tif 000007
【図３ｂ】
0003680018.tif 000008